(57)【要約】      （修正有）【課題】脱水部分の回転が発生する遠心力を利用し含水物体から水分を除去する電力不要の脱水構造を提供する。【解決手段】脱水部材２０が収容槽１１内に設置され、作動装置３０は、作動部材３１、ソケット体３２、伝動部を含み、作動部材３１がソケット体３２にピン接合し、作動部材３１がピン接合箇所を軸心としシーソー状振動を行い、作動部材３１の作動端に弾性部材を組み合わせ設け、弾性部材が作動端に上向きの弾性推進力を与え、作動部材３１の一端に扇形ラックを設け、該伝動部は、歯車組と伝動軸を含み、歯車組は、少なくとも１つの同軸歯車盤３３１と不可逆歯車３３２を含み、且つ該同軸歯車盤は、該不可逆歯車と噛み合い、同軸歯車盤が作動部材３１の円弧ラック３１５と噛み合い、伝動軸が不可逆歯車と組み合わさり且つ伝動軸上端が収容槽１１底面を貫通し、脱水部材と組み合わさる。【選択図】図７
0003147526.tif 000002
【実用新案登録請求の範囲】
【請求項１】
収容ソケット体、脱水部材、及び作動装置を含み、そのうち、
該収容ソケット体が収容槽、組み込み空間を含み、該収容槽と組み込み空間との間は、水密性材料で２つの独立空間に分け隔てられ、
該脱水部材は、空心且つ液体が浸透できる物体を盛る槽体であり、脱水部材が前記収容槽内に設置され、
該作動装置は、作動部材、ソケット体、伝動部を含み、そのうち、
該作動部材がソケット体にピン接合し、作動部材がピン接合箇所を軸心としてシーソー状の振動をし、作動部材とソケット体の間に弾性部材を組み合わせて設け、該弾性部材が作動部材に上向きの弾性推進力を与え、作動部材は、円弧ラックを連設し、
該ソケット体は、少なくとも２つの結合構造を設置し、該２つの結合構造は、作動部材をピン接合し、作動部材を、ピン接合箇所を軸心としてシーソー状の振動をさせることに用い、ソケット体が少なくとも１つの支持構造を結合設置し、
該伝動部は、歯車組と伝動軸を含み、該歯車組は、少なくとも１つの同軸歯車盤と不可逆歯車盤を含み、且つ該同軸歯車盤は、前記ソケット体の支持構造にピン接合し、同軸歯車盤は、前記作動部材の円弧ラックと噛み合い、且つ該同軸歯車盤は、該不可逆歯車盤と噛み合い、該伝動軸が不可逆歯車と組み合わさり、伝動軸が該ソケット体にピン接合し、伝動軸上端が収容槽底面を貫通し、前記脱水部材に組み合わさる脱水構造。
【請求項２】
前記作動部材の作動端が踏み板状であり、作動部材は、ピン接合孔を設け、挿入ピンによって前記ピン接合孔を貫通し、作動部材をソケット体にピン接合し、作動部材がピン接合箇所を軸心としてシーソー状の振動を行うことができる請求項１記載の脱水構造。
【請求項３】
前記作動部材のピン接合箇所のもう一端に空心の扇形板片を連設し、該扇形板片の内弧面に円弧ラックを設置し、伝動部の同軸歯車盤が前記作動部材の円弧ラックと噛み合う請求項１記載の脱水構造。
【請求項４】
前記伝動部材のピン接合箇所のもう一端に扇形板片に連設し、該扇形板片の表面に外向き湾弧円弧ラックを設け、伝動部の同軸歯車盤が前記作動部材の外向き湾弧ラックと噛み合う請求項１記載の脱水構造。
【請求項５】
前記作動部材の弾性部材が螺旋ばねである請求項１記載の脱水構造。
【請求項６】
前記ソケット体が定位柱を設け、該定位柱が前記伝動部材の弾性部材に対応して被さり組み合わさる請求項１記載の脱水構造。
【請求項７】
前記ソケット体が軸孔を設け、該伝動部の伝動軸下端にソケット体の軸孔に活動的に嵌合する請求項１記載の脱水構造。
【考案の詳細な説明】
【技術分野】
【０００１】
本考案は、脱水構造に関し、特に、脱水部材の回転が発生する遠心力を利用し含水物体から水分を除去する電力不要の脱水構造に関する。
【背景技術】
【０００２】
水は、自然界で最高の清掃剤、溶剤であり、人々は、水を利用し、灰塵、雑物を粘着し、汚物を溶解し、生活環境、器物を清掃する目的を達成する。湿気に弱い器物は、乾いた布料で直接清掃する以外、通常は、何れも適当な水分を吸収した湿った布料を利用し清掃する。
【０００３】
床板を拭くことは、日常生活中の通常事務であり、一般的に、水を含む単片の布料で床板を拭き、最もよく見られるのは、各式モップにより床板を清掃することである。単片布料またはモップに関わらず、何れも繰り返し水を用いて布料に粘着した灰塵、雑物及び汚物を洗う必要があり、且つ単片布料及びモップ中の水分を適当な湿度まで除去すする必要がある。単片布料は、直接脱水機を利用するか、直接手で捻り出すことができるが、モップの布料は、通常、モップロッド体に結合し、脱水機中に放置し脱水することが不可能または不便であり、手で直接、捻り水を出す場合、施力が容易でなく、体力を消耗する問題を有する。また、手で直接単片布料またはモップを捻る場合、含まれる灰塵、雑物、汚物が使用者の手部を傷つけたり、皮膚障害または皮膚の荒れを招いたりする可能性があり、現代の都会の女性にとっては、より敬遠されている。
【０００４】
以上は、何れも清掃作業が単片布料またはモップを使用し繰り返し、洗い、使用する上での欠点である。
【０００５】
改良された従来のモップ中、モップロッド体に１組の挟持ローラーを結合し、ローラーを利用し、洗った後のモップ布料の水分を出し、使用者は、手部が布料に接触する問題を回避することができる。但し、その欠点は、挟持ローラーがモップロッド体上に固定され、モップの体積、重量を増加すること、該挟持ローラーが単一モップの脱水を提供するだけであり、その他のモップまたは単片布料の脱水に使用することができないこと、製造するコストを増加し、モップの価格を上昇させることである。
【０００６】
現行は、従来の圧力乾燥筒があり、多種のモップ布料の脱水用途に用い、該圧力乾燥筒は、ローラーを利用し、モップの布料端を押し、水分を押し出し、モップ布料の脱水の目的を達成する。しかしながら、市場の従来の盤式モップまたは転盤式モップは、その布料を布料の盤体または転盤体の下方に結合し、その布料が短いので、前記の従来の圧力乾燥筒のローラーを利用し、この種の盤式モップまたは転盤式モップの布料をプレスすることができない、或いは脱水の目的効果を達成することができない。
【０００７】
中華民国専利公告新型Ｍ338634号の脱水装置は、図１、図２を参考とし、主要な目的は、前記の従来の転盤式モップの脱水問題を解決することにあり、それは、殻体１００、回転ユニット２００、伝動ユニット３００および押桿ユニット４００を設置し、転盤式モップ５００の布料５０１を回転ユニット２００の載置部材２０１内に置き、押桿ユニット４００によって伝動３００、回転ユニット２００を駆動し、載置部材２０１中の転盤式モップ５００の布料５０１を脱水する。該中華民国新型Ｍ338634号は、転盤式モップ５００の布料５０１の脱水の目的を達成することができるが、具体的に実施する上で、その構造は、依然として以下の欠点が存在する：
（Ａ）押桿ユニット４００の施力時、構造体が変位、跳ね動き、安定性が不十分である。該押桿ユニット４００の押桿４０１上端に軸桿１０１をピン接合し、押桿４０１が軸桿を中心とし左向きに回転することで伝動ユニット３００を押し動かす。該押桿４０１が左向きに施力され、全体が左向きに押し動かされ、施力が返り戻る時、その構造全体が断続的であり、左向きの跳ね動き変位し、元の位置に固定できず、押桿ユニット４００の押桿４０１は、安定した操作ができない、または施力が返る問題を引き起こす。
（Ｂ）伝動が円滑でなく、加速が容易でなく、遠心脱水力が不十分である。転盤式モップ５００の布料５０１の脱水は、主に伝動ユニット２００が回転する遠心力の作用において、該回転ユニット２００の載置部材２０１の必ず一定の回転速度を必要とし始めて十分な遠心力を有し、布料５０１を脱水する。押桿ユニット４００の押桿４０１は、安定した返り戻る操作、施力ができず、ラック３０１を円滑に押し動かし、同軸歯車３０２、単方向歯車３０３の回転を水平に連動し、伝動ユニット３００が回転ユニット２００を駆動する回転速度を向上させることが困難である。
（Ｃ）構造全体が断続的に左向きに跳ね動き変位し、転盤式モップ５００の布料５０１が回転ユニット２００の載置部材２０１中心に定位することができず、載置部材２０１に振動を発生させ、回転速度を阻害する。
（Ｄ）殻体１００下方にローラー１０２を設置し、移動に便利であるが、押桿ユニット４００の押桿４０１が返り戻り左向きに施力することによって、ローラー１０２がかえって構造体をより不安定にし、施力を加えることが困難である。
【０００８】
前記中華民国新型M338634号の欠点から分かるように、回転の遠心力の原理を利用する脱水は、構造体を安定固定し、伝動を円滑にし、一定の回転速度まで安定して加速して始めて脱水の目的を達成することができる。
【特許文献１】中華民国専利公告新型Ｍ338634号
【考案の開示】
【考案が解決しようとする課題】
【０００９】
本考案は、電力の使用を必要とせず、単片布料または各式モップ布料の脱水に適用でき、従来の脱水装置が反復施力時に、構造全体が安定固定できず、構造体が跳ね動き、変位し、伝動ユニットの伝動が円滑でなく、回転速度が不十分で構造が転倒する問題を解決することができる脱水構造を提供する。
【課題を解決するための手段】
【００１０】
本考案の脱水構造は、収容ソケット体、脱水部材、及び作動装置を含み、該収容ソケット体が収容槽、組み込み空間を含み、該脱水部材が空心且つ液体が浸透できる物体を盛る槽体であり、脱水部材が前記収容槽内に設置され、作動装置は、作動部材、ソケット体、伝動部を含み、作動部材がソケット体にピン接合し、作動部材がピン接合箇所を軸心としシーソー状の振動を行うことができ、作動部材の作動端に弾性部材を組み合わせ設け、弾性部材が作動端に上向きの弾性推進力を与え、作動部材の一端に扇形ラックを設け、伝動部は、歯車組と伝動軸を含み、歯車組が少なくとも１つの同軸歯車盤と不可逆歯車盤を含み、且つ同軸歯車盤は、不可逆歯車盤と噛み合い、同軸歯車盤が作動部材の扇形ラックと噛み合い、伝動軸が不可逆歯車と組み合わさり且つ伝動軸上端が収容槽底面を貫通し、脱水部材と組み合わさる。
本考案は、以下の特徴を有する。
（１）収容ソケット体、脱水部材、及び作動装置を含み、そのうち、
該収容ソケット体が収容槽、組み込み空間を含み、該収容槽と組み込み空間との間は、水密性材料で２つの独立空間に分け隔てられ、
該脱水部材は、空心且つ液体が浸透できる物体を盛る槽体であり、脱水部材が前記収容槽内に設置され、
該作動装置は、作動部材、ソケット体、伝動部を含み、そのうち、
該作動部材がソケット体にピン接合し、作動部材がピン接合箇所を軸心としてシーソー状の振動をし、作動部材とソケット体の間に弾性部材を組み合わせて設け、該弾性部材が作動部材に上向きの弾性推進力を与え、作動部材は、円弧ラックを連設し、
該ソケット体は、少なくとも２つの結合構造を設置し、該２つの結合構造は、作動部材をピン接合し、作動部材を、ピン接合箇所を軸心としてシーソー状の振動をさせることに用い、ソケット体が少なくとも１つの支持構造を結合設置し、
該伝動部は、歯車組と伝動軸を含み、該歯車組は、少なくとも１つの同軸歯車盤と不可逆歯車盤を含み、且つ該同軸歯車盤は、前記ソケット体の支持構造にピン接合し、同軸歯車盤は、前記作動部材の円弧ラックと噛み合い、且つ該同軸歯車盤は、該不可逆歯車盤と噛み合い、該伝動軸が不可逆歯車と組み合わさり、伝動軸が該ソケット体にピン接合し、伝動軸上端が収容槽底面を貫通し、前記脱水部材に組み合わさる脱水構造。
（２）前記作動部材の作動端が踏み板状であり、作動部材は、ピン接合孔を設け、挿入ピンによって前記ピン接合孔を貫通し、作動部材をソケット体にピン接合し、作動部材がピン接合箇所を軸心としてシーソー状の振動を行うことができる（１）記載の脱水構造。
（３）前記作動部材のピン接合箇所のもう一端に空心の扇形板片を連設し、該扇形板片の内弧面に円弧ラックを設置し、伝動部の同軸歯車盤が前記作動部材の円弧ラックと噛み合う（１）記載の脱水構造。
（４）前記伝動部材のピン接合箇所のもう一端に扇形板片に連設し、該扇形板片の表面に外向き湾弧円弧ラックを設け、伝動部の同軸歯車盤が前記作動部材の外向き湾弧ラックと噛み合う（１）記載の脱水構造。
（５）前記作動部材の弾性部材が螺旋ばねである（１）記載の脱水構造。
（６）前記ソケット体が定位柱を設け、該定位柱が前記伝動部材の弾性部材に対応して被さり組み合わさる（１）記載の脱水構造。
（７）前記ソケット体が軸孔を設け、該伝動部の伝動軸下端にソケット体の軸孔に活動的に嵌合する（１）記載の脱水構造。
【００１１】
作動装置の作動部材の作動端を反復施力することによって、作動部材の扇形ラックに歯車組、不可逆回転の伝動軸を連動させ、脱水部材に回転または加速回転を持続させ、脱水部材中に置いた含水物体の遠心脱水効果を達成する。
【考案の効果】
【００１２】
本考案は、脱水構造を提供し、その主要目的効果は、使用者は、作動装置の作動部材を反復施力、開放することのみを必要とし、作動部材のラックによって歯車組、不可逆回転の伝動軸を連動し、脱水部材に回転または加速回転を持続させ、脱水部材中に置いた含水物体の遠心脱水を達成することにある。
【００１３】
本考案は、脱水構造を提供し、そのもう１つの目的効果は、該作動装置の施力と地面が垂直または垂直に近く、施力モーメントの問題がなく、構造全体が元の位置に安定固定し、反復施力する時、跳ね動く、または変位が生じることがなく、構造が転倒する問題もないようにすることにある。
【００１４】
本考案は、脱水構造を提供し、そのもう１つの目的効果は、脱水部材の回転が電力を必要とせず、コストが低く、省エネルギー及び環境保全の要求に適合することにある。
【考案を実施するための最良の形態】
【００１５】
本考案の目的、特徴及び効果を詳細に開示することができるように、下記好適な具体的実施例を挙げ、図面に合わせ、本考案に対して以下に詳細な説明を行う。
【００１６】
図３、図４、図５、図６は、本考案の実施例の立体組み合わせ説明図、立体大部分分解説明図、作動装置の細部分解説明図および組み合わせ断面説明図である。本考案の脱水構造は、収容ソケット体１０、脱水部材２０、及び作動装置３０を含む。そのうち、該収容ソケット体１０は、楕円空心柱状であり、それは、収容槽１１、組み込み空間１２を含む。該収容槽１１と組み込み空間１２の間は、水密性材料で２つの独立空間に分け隔てる。該収容槽１１は、液体を収容することに用い、一般的に、収容する液体は、水または水溶液である。該組み込み空間１２は、収容溝１１下方に配置される。
【００１７】
該脱水部材２０は、空心且つ液体が浸透できる物体を盛る槽体であり、脱水部材２０は、前記収容溝１１内に設置される。脱水部材２０の下底面の重心箇所に組み合わせ孔２１を設ける（図６参照）。
【００１８】
該作動装置３０は、作動部材３１、ソケット体３２、伝動部３３を含み、そのうち、該作動部材３１の作動端は、踏み板であり、作動部材３１は、ピン接合孔３１１を設け、挿入ピン３１２でソケット体３２をピン接合し、作動部材３１がピン接合箇所の挿入ピン３１２を軸心としシーソー状の振動をすることができる。作動部材３１の作動端とソケット体３２の間に弾性部材３１３を組み合わせ設け、該弾性部材３１３は、作動部材３１の作動端に上向きの弾性推進力を与え、作動部材３１のピン接合孔３１１の一端に空心の扇形板片３１４を連設し、該扇形板片３１４の空心の弧面に円弧ラック３１５を設ける。本実施例中、該弾性部材３１３は、螺旋ばねである。
【００１９】
該ソケット体３２は、少なくとも２つの結合構造３２１を結合設置し、該２つの結合構造３２１の上端部には、それぞれピン接合孔３２１１を設け、該ピン接合孔３２１１は、前記作動部材３１のピン接合孔３１１に対応し、挿入ピン３１２は、ピン接合孔３２１１およびピン接合孔３１１を貫通し、作動部材３１をソケット体３２にピン接合し、作動部材３１がピン接合箇所の挿入ピン３１２を軸心としてシーソー状の振動を行うことができる。ソケット体３２は、少なくとも１つの支持構造３２２を結合設置し、該支持構造３２２は、軸孔３２２１を設ける。また、ソケット体３２底面に定位柱３２３、軸孔柱３２４を設け、該定位柱３２３は、前記作動部材３１の弾性部材３１３を対応して被せ合わせることに用い、該定位柱３２３は、弾性部材３１３底部の滑動または変位を防止する。
【００２０】
該伝動部３３は、歯車組と伝動軸３３３を含む。該歯車組は、少なくとも１つの同軸歯車盤３３１と不可逆歯車盤３３２を含み、該同軸歯車盤３３１は、前記ソケット体３２の支持構造３２２の軸孔３２２１にピン接合し、同軸歯車盤３３１の小歯車３３１１は、作動部３１の空心の扇形板片３１４を貫通し、円弧ラック３１５と噛み合い、同軸歯車盤３３１の歯車盤は、該不可逆歯車３３２と噛み合い、本実施例中、同軸歯車３３１は、不可逆歯車盤３３２と垂直に噛み合う。該伝動軸３３３は、不可逆歯車盤３３２と組み合わさり、伝動軸３３３の下端がソケット体３２底面の軸孔３２４に活動的に嵌合し、伝動軸３３３上端は、収容槽１１底面に貫通し、前記脱水部材２０下底面の組み合わせ孔２１に組み合わさる。
【００２１】
図６は、本考案の実施例の施力する前の一般状態であり、図７は、施力の作動状態図であり、図８は、施力を取り除いた後の持続作動状態説明である。施力前の一般状態は、作動部材３１が弾性部材３１３により押し上げられ、高い箇所に位置される（図６参照）。使用者が下向きに作動部材３１に施力Ｆを加え、作動部材３１の作動端をピン接合箇所の挿入ピン３１２を軸心として下向きに振動させ、低い箇所に変位させ、作動過程中、該作動部材３１の円弧ラック３１５が上向きに振動し、同軸歯車盤３３１の小歯車３３１１（図４、図５参照）及び同軸歯車盤３３１を連動し、同期して逆時計回り方向に回転し、該同軸歯車盤３３１は、不可逆歯車盤３３２、伝動軸３３３および脱水部材２０を連動し、順時計回り方向に回転し、図７に示すように、この時、該弾性部材３１３は、作動部材３１の作動端の下向きの振動、変位を受けて、圧縮され、上向きに反動する弾性回復力を蓄積する。作動部材３１に対する施力Ｆを除去する時、弾性部材３１３は、弾性回復力により作動部材３１の作動端を上向きに高い箇所まで押し上げ、図８に示すように、作動部材３１の作動端が上向きに振動、変位する過程で、一端の円弧ラック３１５は、下向きに振動、変位し、同軸歯車盤３３１の小歯車３３１１及び同軸歯車盤３３１を連動し、同期して順時計方向に回転し、同時、該同軸歯車盤３３１  も不可逆歯車盤３３２を連動し反時計回りに回転し、該不可逆歯車盤３３２が単一方向のみに伝動軸３３３を連動し回転することができるので、伝動軸３３３と脱水部材２０は、自身の慣性によって、順時計回り方向の回転を継続する。
【００２２】
本考案は、施力Ｆの反復、施力Ｆの除去（作動部材３１の作動端の開放）を利用し、作動装置３０の円弧ラック３１５を利用し、同軸歯車盤３３１、不可逆歯車盤３３２、伝動軸３３３を伝動し、脱水部材２０を連動し、順時計回り方向に回転又は加速回転を持続する。
【００２３】
図９、図１０、図１１は、本考案の実施例２の施力する前の一般状態、施力の作動状態図、施力を取り除いた後の持続作動状態説明である。そのうち、実施例２と前記実施例の相違は、作動部材３１のピン接合３１１の一端に扇形板片３１４’を連設し、該扇形板片３１４’の表面に外向き湾弧ラック３１５’を設け、該同軸歯車３３１の小歯車３３１１が外向き湾弧ラック３１５’と噛み合い、連動することにある。実施例２の作動は、前記実施例と同一であり、施力前の一般状態は、作動部材３１が弾性部材３１３により押し上げられ、高い箇所に位置される（図９参照）。使用者が下向きに作動部材３１に施力Ｆ’を加え、作動部材３１の作動端をピン接合箇所の挿入ピン３１２を軸心として下向きに振動させ、低い箇所に変位させ、作動過程中、該作動部材３１の外向き湾弧ラック３１５’が上向きに振動し、同軸歯車盤３３１の小歯車３３１１及び同軸歯車盤３３１を連動し、同期して逆時計回り方向に回転し、該同軸歯車盤３３１は、不可逆歯車盤３３２、伝動軸３３３および脱水部材２０を連動し、順時計回り方向に回転し、図１０に示すように、この時、該弾性部材３１３は、作動部材３１の作動端の下向きの振動、変位を受けて、圧縮され、上向きに反動する弾性回復力を蓄積する。作動部材３１に対する施力Ｆ’を除去する時、弾性部材３１３は、弾性回復力により作動部材３１の作動端を上向きに高い箇所まで押し上げ、図１１に示すように、作動部材３１の作動端が上向きに振動、変位する過程で、一端の外向き湾弧ラック３１５’は、下向きに振動、変位し、同軸歯車盤３３１の小歯車３３１１及び同軸歯車盤３３１を連動し、同期して順時計方向に回転し、同時、該同軸歯車盤３３１も不可逆歯車盤３３２を連動し反時計回りに回転し、該不可逆歯車盤３３２が単一方向のみに伝動軸３３３を連動し回転することができるので、伝動軸３３３と脱水部材２０は、自身の慣性によって、順時計回り方向の回転を継続する。
【００２４】
具体的実施において、該脱水部材２０内に含水物体（図示せず）を置くことができ、前記作動方式で脱水部材２０を回転させ、脱水部材２０の回転が発生する遠心力を利用し、該含水物体内の水分または水溶液を脱水部材２０に経由し遠心力方向に引き離し、含水物体の脱水の目的を達成し、且つ完全に電力を必要とせずに連動することができる。
【００２５】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００２６】
【図１】前案中華民国新型M338634号の部分分解図である。
【図２】前案中華民国新型M338634号の断面説明図である。
【図３】本考案の実施例の立体組み合わせ説明図である。
【図４】本考案の実施例の立体大部分分解説明図である。
【図５】本考案の実施例の作動装置３０の細部分解説明図である。
【図６】本考案の実施例の組み合わせ説明図である。
【図７】本考案の実施例の組み合わせ断面図であり、作動装置３０が施力Ｆを加えた作動状態説明図である。
【図８】図７が施力Ｆを除去した後の持続作動状態の説明図である。
【図９】本考案の実施例２の組み合わせ説明図である。
【図１０】本考案の実施例２の組み合わせ断面図であり、作動装置３０が施力Ｆ’を加えた作動状態説明図である。
【図１１】図１０が施力Ｆ’を除去した後の持続作動状態の説明図である。
【符号の説明】
【００２７】
１０  収容ソケット体
１１  収容槽
１２  組み込み空間
２０  脱水部材
２１  組み合わせ孔
３０  作動装置
３１  作動部材
３１１  ピン接合孔
３１２  挿入ピン
３１３  弾性部材
３１４，３１４’  扇形板片
３１５  円弧ラック
３１５’  外向き湾弧ラック
３２  ソケット体
３２１  結合構造
３２１１  ピン接合孔
３２２  支持構造
３２２１  軸孔
３２３  定位柱
３２５  軸孔柱
３３  伝動部
３３１  同軸歯車盤
３３１１  小歯車
３３２  不可逆歯車
３３３  伝動軸
Ｆ，Ｆ’  施力
１００  殻体
１０１  軸桿
１０２  ローラー
２００  回転ユニット
２０１  載置部材
３００  伝動ユニット
３０１  ラック
３０２  同軸歯車
３０３  単方向歯車
４００  押桿ユニット
４０１  押桿
５００  転盤式モップ
５０１  布料
【図１】
0003147526.tif 000003
【図２】
0003147526.tif 000004
【図３】
0003147526.tif 000005
【図４】
0003147526.tif 000006
【図５】
0003147526.tif 000007
【図６】
0003147526.tif 000008
【図７】
0003147526.tif 000009
【図８】
0003147526.tif 000010
【図９】
0003147526.tif 000011
【図１０】
0003147526.tif 000012
【図１１】
0003147526.tif 000013